(57)【要約】  【課題】本発明は、カラオケ利用者に対して歌唱時の映像を録画する歌唱者映像録画カラオケシステムに関し、総ての楽曲に対して演奏開始から終了まで自動的に映像録画する予約録画を可能とすることを目的とする。  【解決手段】予約管理手段２５がカラオケ利用者による予約楽曲の選曲情報及び当該選曲情報に付随して予約時のタイミングで指定される歌唱映像の撮影有無情報をＲＡＭ２４に展開した予約待ち行列として順次記憶させ、映像録画制御部３３が予約楽曲の演奏の際に当該選曲情報が撮影指定の場合に演奏開始から終了までビデオカメラ１４を稼働させ、当該映像データを録画データ記憶部３４に記憶させる構成とする。  【選択図】  図１
2008139374.tif 000002
【特許請求の範囲】
【請求項１】
カラオケ利用者に対して歌唱機能に附帯して歌唱時の映像を録画する歌唱者映像録画カラオケシステムであって、
撮影手段、予約管理手段、映像録画制御手段及び録画データ記憶部を備え、
前記撮影手段は、少なくとも歌唱時の歌唱者を映像として撮影し、
前記予約管理手段は、前記カラオケ利用者による予約楽曲の選曲情報及び当該選曲情報に付随して所定タイミングで指定される歌唱映像の撮影有無情報を予約待ち行列のカラムに順次記憶して管理し、
前記映像録画制御部は、前記予約管理手段で管理される予約楽曲が演奏される際、当該撮影有無情報が撮影指定の場合に演奏開始から終了まで前記撮影手段を稼働させ、当該撮影手段からの映像データを取得して前記録画データ記憶部に記憶する、
ことを特徴とする歌唱者映像録画カラオケシステム。
【請求項２】
請求項１記載の歌唱者映像録画カラオケシステムであって、さらに、ＩＤ読取部、利用者ＩＤ登録手段及び利用者別撮影指定手段を備え、
前記ＩＤ読取部は、利用者ＩＤが少なくとも記憶されたＩＤ媒体を用いて本システムにログインした利用者の当該利用者ＩＤを取得し、
前記利用者ＩＤ登録手段は、前記利用者ＩＤにより予約楽曲が選曲されたときに当該選曲情報に当該利用者ＩＤを附帯させて前記予約管理手段による予約待ち行列のカラムに登録させ、
前記利用者別撮影指定手段は、前記利用者ＩＤに基づく要求により、前記予約管理手段の管理する予約待ち行列から当該利用者ＩＤのカラムを抽出して表示させ、当該利用者による予約待ち行列の所望のカラムに対し、歌唱時における撮影の指定若しくは変更を可能とする、
ことを特徴とする歌唱者映像録画カラオケシステム。
【発明の詳細な説明】
【技術分野】
【０００１】
本発明は、カラオケ利用者に対して歌唱時の映像を録画する歌唱者映像録画カラオケシステムに関する。
【背景技術】
【０００２】
近年、カラオケ利用者に対して歌唱をＣＤに録音するサービスが普及し、利用者に大いに好評を博している。さらに、カラオケ利用者の欲求に応じた新たなサービスの提供として歌唱者の映像を背景映像とさせる場合や、ビデオＣＤに録画記録させることも提案されてきており、この場合にビデオカメラをカラオケ装置に備えさせることから、利用者に負担をかけずに、効率的な映像録画することが望ましい。
【０００３】
従来、カラオケ利用の歌唱者に対してビデオカメラで映像を録画するものとして、以下の特許文献で提案されているものがある。下記特許文献１では、ステージ側を撮影する第１のビデオカメラと同伴者のいるテーブル側を撮影する第２のビデオカメラとを移動自在に設置して歌唱者と同伴者とを移動させながら交互に撮影するもので、各ビデオカメラの作動時間を客がカラオケボックスを利用する時間に合わせて設定させることが提案されている。
【０００４】
また、下記特許文献２では、カラオケ装置にビデオカメラ及びビデオＣＤレコーダを接続して歌唱者が録画モードを選択してカラオケ曲の演奏とビデオカメラによる撮影を行うもので、録画モードの選択が当該録画モードに割り当てられている曲番号を入力したときに行われ、当該曲データに含ませたカメラ制御トラックデータに基づいて撮影制御を行わせることが提案されている。
【０００５】
【特許文献１】実用新案登録第３０２８２７１号公報
【特許文献２】特開２００２−２１５１７８号公報
【発明の開示】
【発明が解決しようとする課題】
【０００６】
しかしながら、上記特許文献１ではビデオカメラの作動がカラオケボックスを利用する時間範囲で行われることから、歌唱時以外の不必要な場合でも作動され、合理的でないと共に、ＤＶＤ等を作成する場合に編集作業を必要とするという問題がある。また、上記特許文献２では、録画モードを選択する場合には録画モードに割り当てられている曲番号でしか録画することができず、録画モードが割り当てられていない曲では撮影が行うことができず、利用者にとって好みの曲で録画撮影できない場合があるという問題がある。さらに、撮影録画を人為的にマニュアル操作させることとしてもよいが、利用者にとって煩わしさがあるという問題がある。
【０００７】
そこで、本発明は上記課題に鑑みなされたもので、総ての楽曲に対して演奏開始から終了まで自動的に映像録画する予約録画を可能とする歌唱者映像録画カラオケシステムを提供することを目的とする。
【課題を解決するための手段】
【０００８】
上記課題を解決するために、請求項１の発明では、カラオケ利用者に対して歌唱機能に附帯して歌唱時の映像を録画する歌唱者映像録画カラオケシステムであって、撮影手段、予約管理手段、映像録画制御手段及び録画データ記憶部を備え、前記撮影手段は、少なくとも歌唱時の歌唱者を映像として撮影し、前記予約管理手段は、前記カラオケ利用者による予約楽曲の選曲情報及び当該選曲情報に付随して所定タイミングで指定される歌唱映像の撮影有無情報を予約待ち行列のカラムに順次記憶して管理し、前記映像録画制御部は、前記予約管理手段で管理される予約楽曲が演奏される際、当該撮影有無情報が撮影指定の場合に演奏開始から終了まで前記撮影手段を稼働させ、当該撮影手段からの映像データを取得して前記録画データ記憶部に記憶する、構成である。
【０００９】
請求項２の発明では、さらに、ＩＤ読取部、利用者ＩＤ登録手段及び利用者別撮影指定手段を備え、前記ＩＤ読取部は、利用者ＩＤが少なくとも記憶されたＩＤ媒体を用いて本システムにログインした利用者の当該利用者ＩＤを取得し、前記利用者ＩＤ登録手段は、前記利用者ＩＤにより予約楽曲が選曲されたときに当該選曲情報に当該利用者ＩＤを附帯させて前記予約管理手段による予約待ち行列のカラムに登録させ、前記利用者別撮影指定手段は、前記利用者ＩＤに基づく要求により、前記予約管理手段の管理する予約待ち行列から当該利用者ＩＤのカラムを抽出して表示させ、当該利用者による予約待ち行列の所望のカラムに対し、歌唱時における撮影の指定若しくは変更を可能とする、構成である。
【発明の効果】
【００１０】
本発明によれば、カラオケ利用者による予約楽曲の選曲情報及び当該選曲情報に付随して予約時若しくは予約後のタイミングで指定される歌唱映像の撮影有無情報を予約待ち行列として順次記憶させ、予約楽曲が演奏される際、当該選曲情報が撮影指定の場合に演奏開始から終了まで撮影手段を稼働させ、当該映像データを記憶させる構成とにより、予約楽曲に映像録画するか否かの撮影情報が指定されていることから、総ての楽曲に対して演奏開始から終了まで自動的に映像録画する予約録画を可能とすることができるものである。
【発明を実施するための最良の形態】
【００１１】
以下、本発明の最良の実施形態を図により説明する。
図１に、本発明に係る歌唱者映像録画カラオケシステムの第１実施形態のブロック構成図を示す。図１に示す歌唱者映像録画カラオケシステム１１は、カラオケ装置１２を主装置として、当該カラオケ装置１２に表示部１３、撮影手段であるビデオカメラ１４、ミキシングシステム１５、マイク１６及び遠隔入出力端末１８が接続され、上記ミキシングシステム１５にはスピーカ１７が接続される。そして、遠隔入出力端末１８には楽曲検索手段１９が備えられる。
【００１２】
上記表示部１３は、例えば、プロジェクタスクリーン、ブラウン管（ＣＲＴ）ディスプレイ、液晶ディスプレイ（ＬＣＤ）、プラズマディスプレイ（ＰＤＰ）等がある。上記ビデオカメラ１４は、少なくとも歌唱時の歌唱者を映像として撮影するものであり、例えばＣＣＤカメラが使用可能である。
【００１３】
上記遠隔入出力端末１３は、その構成を省略するが、ユーザインタフェース機能を備えて対応のカラオケ装置１２（後述の送受信部３０）に対して有線方式ないし無線方式（ＩＲ方式やブルートゥース機構のピコネット接続方式など）を利用してデータ授受を行うためのもので、そのための回路基板およびプログラムを備えると共に、利用者に楽曲を選択させる楽曲検索手段１９のプログラム及び楽曲情報を備える。上記ユーザインタフェース機能としては、例えば備える表示入力部と相俟って液晶ディスプレイ（ＬＣＤ）とタッチセンサとを積層した入出力用を可能とし、表示されるアイコン等に対応して当該タッチセンサにより楽曲の選択などのデータを入力することができるＧＵＩである。
【００１４】
上記カラオケ装置１２は、バス２１、中央制御部２２、ＲＯＭ２３、ＲＡＭ２４、予約管理手段２５、表示ファイル作成手段２６、音楽曲出力部２７、Ａ／Ｄ（アナログ／デジタル）変換部２８、再生制御部２９、送受信部３０、楽曲ＤＢ（楽曲データベース）３１Ａ、背景映像ＤＢ３２、映像録画制御部３３及び録画データ記憶部３４を適宜備える。
【００１５】
中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすもので、例えば半導体メモリで構成され、仮想的にハードディスク上に構築される場合をも含む概念である。上記予約管理手段２５は、利用者が遠隔入出力端末１８を用いて予約楽曲の選曲情報及び当該選曲情報に付随して所定タイミングで指定される歌唱映像の撮影有無情報をＲＡＭ２４に形成させた予約メモリ領域に予約待ち行列のカラムに順次記憶して管理するプログラムであり、ＲＡＭ２４に展開される（一例を図２で示す）。上記表示ファイル作成手段２６は、一例として、表示部１３若しくは遠隔入出力端末１８に対して予約管理手段２５で管理されている予約待ち行列のカラムを表示させるプログラムであり、ＲＡＭ２４に展開される。
【００１６】
上記音楽曲出力部２７は、楽曲コードで楽曲ＤＢ３１より抽出された演奏データをデジタル再生してミキシングシステム１５に出力する電子回路である。上記Ａ／Ｄ変換部２８は、マイク１６より入力される音声信号をデジタル信号に変換してミキシングシステム１５に送出する電子回路である。当該ミキシングシステム１５は、上記Ａ／Ｄ変換部２８より入力したデジタル信号の歌唱音声データと、当該音楽曲出力部２７より送られてくるデジタル信号の演奏データをミキシングし、アナログ信号に変換すると共に増幅してスピーカ１７より出力させるものである。また、上記ミキシングシステム１５は、ここではミキシングしたデジタル信号の歌唱音声データ及び演奏データを映像録画制御部３３に送出する。音の無い映像のみを録画する場合には、当該ミキシングシステム１５より歌唱音声データ及び演奏データを映像録画制御部３３に送出させない構成としてもよい。
【００１７】
上記再生制御部２９は、演奏時に、選択されて楽曲ＤＢ３１より抽出された楽曲データのうちの歌詞テロップデータ（歌詞文字データ）を当該楽曲の演奏データに同期させて表示部１３に出力すると共に、背景映像ＤＢ３２より抽出された当該楽曲に対応された背景映像データを演奏データに同期させて表示部１３に出力する電子回路である。上記送受信部３０は、遠隔入出力端末１８との間で有線方式ないし無線方式（ＩＲ方式やブルートゥース機構のピコネット接続方式など）を利用してデータ授受を行うためのもので、そのための回路基板およびプログラムを備える。
【００１８】
上記楽曲ＤＢ３１は、演奏データ（ＭＩＤＩデータ）及び歌詞テロップデータが同期されて構成される楽曲データ（ファイル）について楽曲コードをファイル名としてそれぞれ格納したデータベースである。楽曲データはそれぞれの楽曲の演奏をデジタル的に表現したデータであり、歌詞テロップデータは楽曲データに同期された楽曲の歌詞文字データである。上記背景映像ＤＢ３２は、演奏される楽曲に対応した背景映像が、当該楽曲の楽曲コードに対応した映像ファイルとして所定数格納したデータベースである。
【００１９】
上記映像録画制御部３３は、予約管理手段２５で管理される予約楽曲が演奏される際、当該撮影有無情報が撮影指定の場合に演奏開始から終了までビデオカメラ１４を稼働させ、当該ビデオカメラ１４からの映像データを取得し、ミキシングシステム１５より取得した歌唱音声データ及び演奏データと同期させて、録画データ記憶部３４に記憶するプログラムであり、ＲＡＭ２４に展開される。当該録画データ記憶部３４は、歌唱音声データ及び演奏データと同期した映像データを映像録画データとして記憶する記憶装置である。
【００２０】
ここで、図２に、図１の遠隔入出力端末による楽曲予約及び楽曲予約管理の説明図を示す。図２（Ａ）は遠隔入出力端末による予約楽曲の選曲を行う場合の説明図、図２（Ｂ）は選曲に応じて予約管理手段が予約待ち行列として登録した状態の説明図である。図２（Ａ）において、遠隔入出力端末１８は、楽曲検索手段１９を備えており、これによって該当の楽曲情報が当該遠隔入出力端末１８上に表示されたときに、録画指定ボタン１８Ａにより歌唱映像の撮影有無情報として録画モードの指定を行う。例えば、デフォルト状態では撮影しない録画モード「オフ」とされ、利用者が録画指定ボタン１８Ａを操作することにより録画モード「オン」として転送することにより予約される。
【００２１】
そして、図２（Ｂ）に示すように、予約管理手段２５では、ＲＡＭ２４上の予約メモリ領域に、順番に予約待ち行列のカラムに登録する。すなわち、予約待ち行列の各カラムには、選曲番号、曲名と、録画モードの撮影有無情報として録画フラグ（例えば、「０」は録画しないフラグ、「１」は録画するフラグ）が附帯されて登録されるものである。録画撮影を行う場合には、録画フラグが「１」が附帯されることにより予約録画されたこととなる。
【００２２】
そこで、図３に、図１の歌唱者映像録画カラオケシステムによる映像録画のフローチャートを示す。図３において、まず、利用者より楽曲予約の要求があると（ステップ（Ｓ）１）、予約管理手段２５において、選曲番号、曲名の予約情報の他に録画要求（録画モードがオンかオフの情報）があるかどうかが判断される（Ｓ２）。録画モードが「オフ」の場合には、選曲番号、曲名及び録画フラグ「０」の情報を附帯させてＲＡＭ２４の予約メモリ領域の予約待ち行列に記録する（Ｓ３）。一方、録画モードが「オン」の場合には、選曲番号、曲名及び録画フラグ「１」の情報を附帯させてＲＡＭ２４の予約メモリ領域の予約待ち行列に記録する（Ｓ４）。
【００２３】
そして、予約管理手段２５において、予約待ち行列の順番に沿って演奏を開始させ、また背景映像を再生させる際（Ｓ５）、附帯された録画フラグが「１」の場合には映像録画制御部３３がビデオカメラ１４を稼働させ、当該ビデオカメラ１４からの映像データを取得し、ミキシングシステム１５より取得した歌唱音声データ及び演奏データと同期させて、録画データ記憶部３４に記憶する（Ｓ７）。一方、附帯された録画フラグが「０」の場合にはビデオカメラ１４は稼働されずに演奏が開始され、表示部１３に背景映像が表示されるものである。そして、演奏が終了した時点で（Ｓ８）、ビデオカメラ１４が停止されるものである（Ｓ９）。
【００２４】
このように、予約楽曲に映像録画するか否かの撮影情報が指定されていることから、総ての楽曲に対して演奏開始から終了まで自動的に映像録画する予約録画を可能とすることができるものである。なお、ビデオカメラ１４で撮影した映像を、録画データ記憶部３４に記憶させているときに、同時に表示部１３に表示させてもよい。このことは以下の実施形態においても同様である。
【００２５】
次に、図４に、第１実施形態の映像録画における他の映像録画のフローチャートを示す。上記実施形態は、楽曲予約時に映像録画を行うかどうかを指定させる場合を示したが、ここでは楽曲予約後に映像録画の指定をさせる場合である。すなわち、図４において、例えば遠隔入出力端末１８より所定の利用者からの予約楽曲（録画モード）の変更要求を入力すると（Ｓ１１）、予約管理手段２５が予約メモリ領域に記憶されている予約待ち行列の総ての予約楽曲のカラムを表示させる表示ファイルを表示ファイル作成手段２６に作成させ、表示部１３と遠隔入出力端末１８の何れか一方、若しくは両方に表示させるべく当該表示ファイルを送出して表示させる（Ｓ１２）。
【００２６】
表示された予約待ち行列の所定の予約楽曲のカラムが選択され、これに附帯される録画フラグの変更を入力すると（Ｓ１３）、予約管理手段２５が予約メモリ領域上の予約待ち行列の該当楽曲に附帯される録画フラグを変更して書き替えを行う（Ｓ１４）。ここで、録画フラグの変更とは、当初は録画を行わない録画フラグ「０」を、録画を行う録画フラグ「１」とする場合、また、当初は録画を行う録画フラグ「１」を、録画を行わない録画フラグ「０」とする場合である。
【００２７】
このように、加えて、既に所定の楽曲が予約された後であっても映像録画を行わせるか否かを変更させることができることから、後に不要とされた映像録画をキャンセルさせることで無駄な撮影を行わせることを防止することができると共に、後に欲した映像録画を予約することが可能となって利用者の便に供することができるものである。
【００２８】
次に、図５に、本発明に係る歌唱者映像録画カラオケシステムにおける第２実施形態の要部のブロック構成図を示す。本実施形態は、楽曲予約後に利用者（選曲者）を特定して録画モードを変更させる場合であり、少なくとも２通りの形態がある。第１に、楽曲予約時に映像録画を行わせるか否かの指定を利用者に行わせずに予約後に映像録画を行わせる場合のみ指定させる場合であり、第２に、楽曲予約時に映像録画を行わせるか否かの指定を利用者に行わせ、予約後に録画モードを変更させる場合である。ここでは、後者（第２）の場合として説明する。
【００２９】
図５において、図１に示す歌唱者映像録画カラオケシステム１１の構成に、さらに、ＩＤ読取部４１、利用者ＩＤ登録手段４２及び利用者別撮影指定手段４３を備えさせたものである。そして、利用者が、少なくとも利用者ＩＤが記憶されたＩＤ媒体４４を所持する。上記ＩＤ読取部４１は、利用者がＩＤ媒体４４により本システム１１にログインした場合に当該ＩＤ媒体４４より利用者ＩＤを取得し、当該取得した総ての利用者の利用者ＩＤをＲＡＭ２４に一旦記憶するリーダである。
【００３０】
上記利用者ＩＤ登録手段４２は、ログインした利用者のうち、所定の利用者が利用者ＩＤにより予約楽曲を選曲したときに当該選曲情報に当該利用者ＩＤを附帯させて予約管理手段２５が予約メモリ領域の予約待ち行列に登録するプログラムであり、ＲＡＭ２４に展開される。上記利用者別撮影指定手段４３は、利用者ＩＤに基づく要求により、予約管理手段２５の管理する予約待ち行列から当該利用者ＩＤのカラムを抽出して表示部１３と遠隔入出力端末１８の何れか一方、若しくは両方に表示させ、当該利用者による予約待ち行列の所望のカラムに対し、歌唱時における撮影の指定若しくは変更を可能とするプログラムであり、ＲＡＭ２４に展開されるものである。
【００３１】
ここで、図６に、図５の場合の楽曲予約管理の説明図を示す。図６（Ａ）は選曲に応じて予約管理手段が予約待ち行列として利用者ＩＤを関連付けて登録した状態の説明図、図６（Ｂ）は利用者別撮影指定手段による利用者ＩＤに基づく予約待ち行列のカラムの抽出状態を示した説明図である。図６（Ａ）において、利用者に対しては利用者ＩＤに基づいて所定の楽曲を予約させるものであり、ＲＡＭ２４における予約メモリ領域上の予約待ち行列のカラムには、選曲番号、曲名と、予約した利用者の利用者ＩＤと、録画モードの撮影有無情報としての録画フラグが附帯されて登録されるものである。
【００３２】
そして、所定の利用者からの利用者ＩＤ（例えば、「＊＊＊＊＊＊＊＊Ａ」）に基づいて予約楽曲（録画モード）の変更が要求された場合、図６（Ｂ）に示すように、利用者別撮影指定手段４３において予約待ち行列から当該利用者ＩＤのみのカラムが抽出されるものである。この抽出された当該利用者ＩＤの予約待ち行列のカラムが、上述のように、表示部１３と遠隔入出力端末１８の何れか一方、若しくは両方に表示されるものである。
【００３３】
そこで、図７に図５における映像録画対応の楽曲予約管理のフローチャートを示すと共に、図８に図５における楽曲予約表示の説明図を示す。図７（Ａ）は利用者による楽曲予約のフローチャート、図７（Ｂ）は録画モードの変更処理のフローチャートである。図７（Ａ）において、利用者による利用者ＩＤの指定により録画モードを含む楽曲の予約要求があり、これを入力すると（Ｓ２１）、図６（Ａ）に示すように、予約管理手段２５が利用者ＩＤを関連付けて予約楽曲の選曲番号、曲名と共に録画モードを予約メモリ領域上の予約待ち行列に順次登録していく（Ｓ２２）。
【００３４】
そして、楽曲予約後に、図６（Ｂ）に示すように、例えば遠隔入出力端末１８より利用者ＩＤの指定と共に所定の利用者からの予約楽曲の変更要求を入力すると（Ｓ３１）、予約管理手段２５が、予約メモリ領域に記憶されている予約待ち行列の各カラムから利用者ＩＤに基づき対応のカラムを抽出して表示部１３と遠隔入出力端末１８の何れか一方、若しくは両方に表示させる（Ｓ３２）。遠隔入出力端末１８に表示させる場合が図８に示される。
【００３５】
表示された予約待ち行列の所定の予約楽曲のカラムが選択され、これに附帯される録画フラグ（録画モードの「オン」、「オフ」）の変更を入力すると（Ｓ３３）、予約管理手段２５が予約メモリ領域上の予約待ち行列の該当楽曲に附帯される録画フラグを変更して書き替えを行うものである（Ｓ３４）。
【００３６】
このように、加えて、既に所定の楽曲が予約された後であっても利用者に対して自己の予約した楽曲について表示され、映像録画を行わせるか否かを指定、変更させることができることから、後に不要とされた映像録画をキャンセルさせることで無駄な撮影を行わせることを防止することができると共に、後に欲した映像録画を予約することが可能となって利用者の便に供することができるものである。
【産業上の利用可能性】
【００３７】
本発明の歌唱者映像録画カラオケシステムは、歌唱時の歌唱者を映像録画して表示、若しくは記録するカラオケ分野に利用可能である。
【図面の簡単な説明】
【００３８】
【図１】本発明に係る歌唱者映像録画カラオケシステムの第１実施形態のブロック構成図である。
【図２】図１の遠隔入出力端末による楽曲予約及び楽曲予約管理の説明図である。
【図３】図１の歌唱者映像録画カラオケシステムによる映像録画のフローチャートである。
【図４】第１実施形態の映像録画における他の映像録画のフローチャートである。
【図５】本発明に係る歌唱者映像録画カラオケシステムにおける第２実施形態の要部のブロック構成図である。
【図６】図５の場合の楽曲予約管理の説明図である。
【図７】図５における映像録画対応の楽曲予約管理のフローチャートである。
【図８】図５における楽曲予約表示の説明図である。
【符号の説明】
【００３９】
１１            歌唱者映像録画カラオケシステム
１２            カラオケ装置
１３            表示部
１４            ビデオカメラ
１８            遠隔入出力端末
１８Ａ          録画指定ボタン
２４            ＲＡＭ
２５            予約管理手段
３３            映像録画制御部
３４            録画データ記憶部
４１            ＩＤ読取部
４２            利用者ＩＤ登録手段
４３            利用者別撮影指定手段
４４            ＩＤ媒体
【図１】
2008139374.tif 000003
【図２】
2008139374.tif 000004
【図３】
2008139374.tif 000005
【図４】
2008139374.tif 000006
【図５】
2008139374.tif 000007
【図６】
2008139374.tif 000008
【図７】
2008139374.tif 000009
【図８】
2008139374.tif 000010